(57)【要約】【課題】リブート後の画像形成動作の立ち上げ時間を短縮することができる画像形成装置を提供する。【解決手段】システムの異常検知時にリブート処理を実行する画像形成装置において、異常が発生したユニットのみリブート処理を行うシステム制御手段１を備えた。【選択図】図１
2007281728.tif 000002
【特許請求の範囲】
【請求項１】
システムの異常検知時にリブート処理を実行する画像形成装置において、異常が発生したユニットのみ前記リブート処理を行うシステム制御手段を備えたことを特徴とする画像形成装置。
【請求項２】
システムの異常検知時にリブート処理を実行する画像形成装置において、異常が発生したユニットのみ前記リブート処理を行うか、全ユニットをリブート処理するか選択する選択手段を備えたことを特徴とする画像形成装置。
【請求項３】
システムの異常検知時にリブート処理を実行する画像形成装置において、異常が発生したユニットのみ前記リブート処理を行うか、全ユニットをリブート処理するか事前に設定する設定手段を備えたことを特徴とする画像形成装置。
【発明の詳細な説明】
【技術分野】
【０００１】
本発明は、複写機、ファクシミリなどの画像形成装置に関し、特に、システムの異常発生時のリブート処理技術に特徴のある画像形成装置に関する。
【背景技術】
【０００２】
スキャナ動作時に異常が発生した場合、その読み取りを再開する技術は、例えば、特許文献１等に開示されている。また、システムの異常発生時に、その原因が誤検知による場合、あるいはシステムリブートにより復帰可能な場合、ユーザによる手動リブートなしでも、システムによる自発的リブートにより、復帰させ、ユーザに対するわずらわしさを低減させる技術はすでに実現されている。
【特許文献１】特開平０８−０４６７６３号公報
【発明の開示】
【発明が解決しようとする課題】
【０００３】
システムの異常発生時に、その原因が誤検知による異常でありシステムリブートにより復帰可能な場合、上述したように、ユーザによる手動リブートなしでも、システムによる自発的リブートによって復帰させ、ユーザに対するわずらわしさを低減させる技術はすでに実現されているが、リブート後にモードを再設定する手間が掛かっていた。
本発明は、リブート後の画像形成動作の立ち上げ時間を短縮することができる画像形成装置を提供することを目的とする。
【課題を解決するための手段】
【０００４】
上記目的を達成するために、請求項１記載の発明は、システムの異常検知時にリブート処理を実行する画像形成装置において、異常が発生したユニットのみリブート処理を行うシステム制御手段を備えたことを特徴とする。
請求項２記載の発明は、システムの異常検知時にリブート処理を実行する画像形成装置において、異常が発生したユニットのみリブート処理を行うか、全ユニットをリブート処理するか選択する選択手段を備えたことを特徴とする。
請求項３記載の発明は、システムの異常検知時にリブート処理を実行する画像形成装置において、異常が発生したユニットのみリブート処理を行うか、全ユニットをリブート処理するか事前に設定する設定手段を備えたことを特徴とする。
【発明の効果】
【０００５】
本発明は、システムの異常検知時にリブート処理を実行する画像形成装置において、異常が発生したユニットのみリブート処理を行うシステム制御手段を備えたので、リブート後の画像形成動作の立ち上げ時間を短縮することができる。
【発明を実施するための最良の形態】
【０００６】
以下、本発明の実施の形態を図面に従って説明する。
図１は本発明の実施の形態に係る画像形成装置のブロック図である。
本画像形成装置は、システム制御手段１を中心に、操作・表示・通知手段２、画像読み取り手段３、データ記憶手段４、画像出力手段５、原稿搬送手段６から構成されている。
画像読み取り手段３により読み取られた原稿の画像信号は、データ記憶手段４に入力され、画像等のデータが格納される。画像読み取り手段３は、必要に応じて原稿搬送手段６により搬送される原稿画像を読み取ることもある。その後、画像出力手段５により画像形成が行われる。
画像出力手段５は、コピー動作の場合は、印刷手段であり、ＦＡＸの場合はＦＡＸ送信相手用通信手段であり、スキャナの場合はＰＣモニタ等への表示手段となる。ユーザからの操作及び指示内容表示や通知には操作・表示・通知手段２が使用される。システム全体の統括制御はシステム制御手段１により行われる。図１の太線が画像データ、細線が制御データを示す。
【０００７】
図２は図１に示す画像形成装置の制御動作を示すフローチャートである。
画像読み取り手段３により複数枚原稿画像を読み取り、該画像をデータ記憶手段４に格納する際（Ｓ１）、画像読み取り手段３はシステム制御手段１に、「正常読み取り完了した旨」、「原稿給紙完了した旨」を通知する。
異常動作が発生していなかった場合は（Ｓ２でＮ）、通常通り、格納画像を用いた画像出力動作を行う（Ｓ６）。異常発生時（Ｓ２でＹ）、システム制御手段１は正常読み取り原稿の枚数と正常排紙完了原稿の枚数をデータ記憶手段４に記憶させる（Ｓ３）。
そして、システム制御手段１はエラー箇所のみシステムリブートを行う（Ｓ４）。リブート後にシステム制御手段１は、操作・表示・通知手段２において、原稿の戻し枚数を通知し、リブート前のモードに再設定する（Ｓ５）。
【０００８】
図３は異常検知後の操作・表示・通知手段における第１の表示例を示す図である。図３のような表示画面によりユーザにスタートボタン押下を促す。
図４は異常検知後の操作・表示・通知手段における第２の表示例を示す図である。図４の表示において、ユーザが「はい」を選択した場合、画像形成がリブート前の状態から再開される。ユーザが「いいえ」を選択した場合、モードがクリアされる。
例えば定着関係の異常によるリブートが発生した場合、次の初期化では定着関係のみの初期化を行い、その他のモジュールの初期化は行わない。それによりリブート後の初期化の時間が短縮できる。
【０００９】
図５は異常検知後の操作・表示・通知手段における第３の表示例を示す図である。図５の表示において、Ａ選択の場合、リブート後に図３の画面が、Ｂ選択の場合、リブート後に図６の画面がデフォルト表示される。
図６は異常検知後の操作・表示・通知手段における第４の表示例を示す図である。図３、図４のガイダンスによる入力の結果、図６に示す表示が行われる。
上記表示に代えて、音声ガイダンスでもよい。また、表示の文言は上記に限定されるものではない。
【図面の簡単な説明】
【００１０】
【図１】本発明の実施の形態に係る画像形成装置のブロック図である。
【図２】図１に示す画像形成装置の制御動作を示すフローチャートである。
【図３】異常検知後の操作・表示・通知手段における第１の表示例を示す図である。
【図４】異常検知後の操作・表示・通知手段における第２の表示例を示す図である。
【図５】異常検知後の操作・表示・通知手段における第３の表示例を示す図である。
【図６】異常検知後の操作・表示・通知手段における第４の表示例を示す図である。
【符号の説明】
【００１１】
１  システム制御手段
２  操作・表示・通知手段（選択手段、設定手段）
３  画像読み取り手段
４  データ記憶手段
５  画像出力手段
６  原稿搬送手段
【図１】
2007281728.tif 000003
【図２】
2007281728.tif 000004
【図３】
2007281728.tif 000005
【図４】
2007281728.tif 000006
【図５】
2007281728.tif 000007
【図６】
2007281728.tif 000008